(57)【要約】【課題】受信されたＱＡＭ信号によって表現された伝送シンボルを回復するための復調器と復調方法を提供する。【解決手段】受信されたＱＡＭ信号によって表現された伝送シンボルを復旧する復調器。前記復調器は第１シンボルを算出するために受信された信号ベクトルを座標上に写像し、前記受信された信号ベクトルに基づいて最も近い所にありそうな第２シンボルを確認するＱＡＭデコーディングブロックと、前記伝送されたシンボルに相応するものとして前記第１シンボルと前記第２シンボルとのうち最も少ないエラー量を有する１つのシンボルを選択するための選択ユニットと、を具備する。これにより、受信されたＱＡＭ信号によって表現された伝送シンボルを最適に再生できる。また、本発明による復調器は従来の技術に比べて約３ｄＢ程度信号対雑音比を改善させる効果がある。本発明による復調器と復調方法は、エラー発生率を減少させる効果がある。【選択図】図６
2005027326.tif 000002
【特許請求の範囲】
【請求項１】
受信されたＱＡＭ信号によって表現された伝送シンボルを復旧する復調器において、
第１シンボルを算出するために受信された信号ベクトルを座標上に写像し、前記受信された信号ベクトルに基づいて最も近い所にありそうな第２シンボルを確認するＱＡＭデコーディングブロックと、
前記伝送されたシンボルに相応するものであって前記第１シンボルと前記第２シンボルのうち最も少ないエラー量を有する１つのシンボルを選択するための選択ユニットとを具備することを特徴とする復調器。
【請求項２】
前記ＱＡＭデコーディングブロックは前記第１シンボルと前記第２シンボルとに相応する少なくとも第１ビットストリームと第２ビットストリームとをそれぞれ生成する少なくとも２つのデコーダを具備し、
前記選択ユニットは前記第１ビットストリームと前記第２ビットストリームとによって動作する少なくとも２つのエラーチェッキングユニットと、
前記伝送されたシンボルに相応するものであって前記第１ビットストリームと前記第２ビットストリームのうち最も少ないエラー量を有する１つのビットストリームを選択するためのロジックと、を具備することを特徴とする請求項１に記載の復調器。
【請求項３】
前記エラーチェッキングユニットはＣＲＣエラーチェッキングを行うことを特徴とする請求項２に記載の復調器。
【請求項４】
各デコーダは、
前記信号ベクトルの対称的なベクトルを生成するためのミキサーと、
前記信号ベクトルと前記信号ベクトルの対称的なベクトルとを前記第１ビットストリームに変換する第１変換ユニットと、
前記信号ベクトルと前記信号ベクトルの対称的なベクトルとを前記第２ビットストリームに変換する第２変換ユニットと、を具備することを特徴とする請求項２に記載の復調器。
【請求項５】
前記ＱＡＭデコーディングブロックは、
前記第１シンボルに相応するサブチャンネルに特別な雑音があるか否かを評価し、
もし前記サブチャンネルに前記特別な雑音がある場合、前記信号ベクトルを重複領域に写像するかの如何を決定し、
前記信号ベクトルが前記重複領域に写像されれば、前記確認と選択とを始めることを特徴とする請求項１に記載の復調器。
【請求項６】
前記ＱＡＭデコーディングブロックは、
前記サブチャンネルに特別な雑音が存在していないか、前記信号ベクトルが前記重複領域に写像されていない場合、前記確認と選択とをスキップし、前記第１シンボルを前記伝送されたシンボルに相応するものとして取扱うことを特徴とする請求項５に記載の復調器。
【請求項７】
前記座標は正方形のセルの格子で編成され、
前記座標を形成するシンボルそれぞれは各セルの中央に位置し、
前記セルの各側面の長さはｄであり、
各セルは各隣接セルに相応する重複領域を具備し、
各与えられたセルに対する各重複領域は、前記相応する隣接セルに対して、前記与えられたセルと、前記隣接セルの中央を中心とする半径ｒの円との重複領域と定義され、前記ｒは、
【数１】
2005027326.tif 000035
を満たすことを特徴とする請求項５に記載の復調器。
【請求項８】
前記第１シンボルに隣接する多数の隣接シンボルがあり、前記第２シンボルは前記信号ベクトルの最も近い所に位置する前記隣接シンボルのうち１つであることを特徴とする請求項１に記載の復調器。
【請求項９】
前記ＱＡＭ信号はマルチプルキャリア復調信号であることを特徴とする請求項１に記載の復調器。
【請求項１０】
受信されたＱＡＭ信号によって表現された伝送シンボルを復旧する復調方法において、
第１シンボルを算出するために受信された信号ベクトルを座標上に写像する段階と、
前記受信された信号ベクトルに基づいて最も近い所にありそうな第２シンボルを確認する段階と、
前記第１シンボルと前記第２シンボルのうち最も少ないエラー量を有する１つのシンボルを前記伝送されたシンボルに相応するものとして選択する段階と、を具備することを特徴とする復調方法。
【請求項１１】
前記第１シンボルに相応するサブチャンネルに特別な雑音があるかの如何を表す表示を受信する段階と、
もし前記サブチャンネルに前記特別な雑音がある場合、前記写像段階で前記信号ベクトルを重複領域に写像するかの如何を決定する段階と、
前記信号ベクトルが前記重複領域に写像されれば、前記確認段階と前記選択段階とを始める段階と、を具備することを特徴とする請求項１０に記載の復調方法。
【請求項１２】
前記復調方法は、
前記サブチャンネルに特別な雑音が存在していないか前記信号ベクトルが前記重複領域に写像されていない場合、前記確認と選択とをスキップし、前記第１シンボルを前記伝送されたシンボルに相応するものとして取扱う段階をさらに具備することを特徴とする請求項１１に記載の復調方法。
【請求項１３】
前記座標は正方形のセルの格子で編成され、 
前記座標を形成するシンボルそれぞれは各セルの中央に位置し、
前記セルの各側面の長さはｄであり、
各セルは各隣接セルに相応する重複領域を具備し、
各与えられたセルに対する各重複領域は、前記相応する隣接セルに対して、前記与えられたセルと、前記隣接セルの中央を中心とする半径ｒの円との重複領域と定義され、前記ｒは、
【数２】
2005027326.tif 000036
を満たすことを特徴とする請求項１１に記載の復調方法。
【請求項１４】
前記第１シンボルに隣接する多数の隣接シンボルがあり、前記第２シンボルは前記信号ベクトルの最も近い所に位置する前記隣接シンボルのうち１つであることを特徴とする請求項１０に記載の復調方法。
【請求項１５】
前記選択段階は前記第１シンボルと前記第２シンボルそれぞれに対してＣＲＣエラーチェッキングを行うことを特徴とする請求項１０に記載の復調方法。
【請求項１６】
前記ＱＡＭ信号はマルチプルキャリア復調信号であることを特徴とする請求項１０に記載の復調方法。
【発明の詳細な説明】
【技術分野】
【０００１】
本発明は復調器と復調方法に係り、より詳細には、受信されたＱＡＭ信号によって表現された伝送シンボルを回復するための復調器と復調方法とに関する。
【背景技術】
【０００２】
チャンネルを通じてのデータ（または入力データ）の伝送は典型的に符号化と変調とを含む。一般的に符号化は前記入力データを表現するフォーマットを前記チャンネルの雑音特性にさらによく抵抗するように変える。変調は前記符号化されたデジタル信号を受信し、受信されたデジタル信号をアナログ無線波に変換する。
【０００３】
マルチプルキャリア変調技術、例えば直交周波数分割多重（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ：ＯＦＤＭ）はよく知られている。一般的にＯＦＤＭとよく知られた変調技術の一例はＱＡＭ（Ｑｕａｄｒａｔｕｒｅ Ａｍｐｌｉｔｕｄｅ Ｍｏｄｕｌａｔｉｏｎ）である。
【０００４】
例えば、１６ＱＡＭはＯＦＤＭ符号化信号の与えられたサブチャンネルで１６（＝２４）の他の形態のシンボルが伝送できる。図１は従来技術による１６ＱＡＭに相応するシンボル１０２の座標１００を表す。各シンボル１０２はセル１１０の中央にある。
【０００５】
シンボルは次にさらに詳細に記載される単位値Ｒに表れるデカルト座標によって識別される。受信された信号ベクトルは極座標記号法（サイズと位相）によるベクトルによって表現される。
【０００６】
理想的、かつ雑音のないチャンネルを仮定し、座標
【０００７】
【数１】
2005027326.tif 000003
を有する受信された信号ベクトル１０６と座標
【０００８】
【数２】
2005027326.tif 000004
を有する受信された信号ベクトル１０８とが図示される。理想的、かつ雑音のないチャンネルを仮定したので、受信された信号ベクトル１０６、１０８は正確に（Ｒ，Ｒ）と（−３Ｒ，３Ｒ）にそれぞれ写像される。
【０００９】
実際のチャンネルは理想的ではない。したがって、実際のチャンネルを通じて入力データを伝送する前に、トレーニングまたは初期化過程が［数６］で表現される伝送された信号ベクトルＴＶの記載される振幅の変化量
【００１０】
【数３】
2005027326.tif 000005
と記載される位相の変化量
【００１１】
【数４】
2005027326.tif 000006
とを決定するために、すなわち実際の雑音のないチャンネルの伝達関数
【００１２】
【数５】
2005027326.tif 000007
を求めるために前記チャンネルについて行われる。
【００１３】
【数６】
2005027326.tif 000008
【００１４】
従来の受信器は対応する記載される（補償された）ベクトルＥＶを生成するために、すなわち受信されたベクトルＲＶを復号するために期待される変化量によって前記受信されたベクトルを補償する。雑音のないチャンネルを仮定すれば、図２は従来技術による非理想的チャンネル補償概要を表す。図２で受信されたベクトルＲＶはセル１１０Ａに写像され、補償されたベクトルＥＶはセル１１０Ｂの極座標
【００１５】
【数７】
2005027326.tif 000009
に写像される。前記極座標
【００１６】
【数８】
2005027326.tif 000010
は受信されたベクトルＲＶに相応するシンボル（Ｒ，Ｒ）を表す。
【００１７】
実際のチャンネルも雑音がないことではない。したがって、受信されたベクトルは［数９］によってさらに正確に表現される。ここでＮＶは雑音ベクトルを表す。
【００１８】
【数９】
2005027326.tif 000011
【００１９】
雑音のないチャンネルのための補償されたベクトルＥＶは等価ベクトルＥＱＶであって、［数１０］のように表現される。
【００２０】
【数１０】
2005027326.tif 000012
【００２１】
典型的に等価ベクトルＥＱＶは前記チャンネルに雑音が存在するので、シンボルに直接写像されていない。従来の技術によって、補償されたベクトルＥＱＶが表示するシンボルを決定するために補償されたベクトルＥＱＶはセル中に写像されると考慮される。言い換えれば、受信されたベクトルＲＶは補償された等価ベクトルＥＱＶが補償された等価ベクトルＥＱＶが写像されたセルのシンボルを表すという仮定によって復号化される。
【００２２】
雑音のサイズＲまで高い信頼を有して復号化されうる。このような復号化技術はセル１１０１ｉのための図３に示されている。
【００２３】
従来技術の問題点は次の通りである。
【００２４】
大きい雑音ベクトルＮＶ＋は
【００２５】
【数１１】
2005027326.tif 000013
のサイズを有し、
【００２６】
【数１２】
2005027326.tif 000014
である。ＱＡＭ座標のセル４０４を図示する図４Ａに示されたように等価ベクトルＥＱＶはＱＡＭ座標のセル４０４のコーナー４０２に写像される。前記コーナー４０２に写像された等価ベクトルＥＱＶをコーナーベクトルＥＱＶ＋という。前記従来の技術は
【００２７】
【数１３】
2005027326.tif 000015
に対してのみ高い信頼度レベルを有する。しかし、従来技術によれば、コーナーベクトルＥＱＶ＋は低い信頼度で復号化される問題点がある。また、このような雑音ベクトルＮＶ＋のためにシンボル（Ｒ，Ｒ）に相応する伝送ベクトルＴＶは図４Ｂに示されたように外側のセル４０４に写像される大きい等価ベクトル
【００２８】
【数１４】
2005027326.tif 000016
となる。
【００２９】
従来技術の受信器は等価ベクトル
【００３０】
【数１５】
2005027326.tif 000017
を隣接したシンボル、例えば（３Ｒ，Ｒ）に不正確に復号する。前記従来技術の受信器は大きい雑音
【００３１】
【数１６】
2005027326.tif 000018
のある環境で等価ベクトル
【００３２】
【数１７】
2005027326.tif 000019
を対応するシンボル（Ｒ，Ｒ）に復号できない問題点がある。
【発明の開示】
【発明が解決しようとする課題】
【００３３】
本発明が解決しようとする技術的な課題は、受信されたＱＡＭ信号によって表現された伝送シンボルを回復するための復調器と復調方法を提供することである。
【課題を解決するための手段】
【００３４】
前記技術的課題を達成するための受信されたＱＡＭ信号によって表現された伝送シンボルを復旧する復調器は、第１シンボルを算出するために受信された信号ベクトルを座標上に写像し、前記受信された信号ベクトルに基づいて最も近い所にありような第２シンボルを確認するＱＡＭデコーディングブロックと、前記伝送されたシンボルに相応するものであって前記第１シンボルと前記第２シンボルのうち最も少ないエラー量を有する１つのシンボルを選択するための選択ユニットを具備する。
【００３５】
前記ＱＡＭデコーディングブロックは前記第１シンボルと前記第２シンボルとに相応する少なくとも第１ビットストリームと第２ビットストリームとをそれぞれ生成する少なくとも２つのデコーダを具備し、前記選択ユニットは前記第１ビットストリームと前記第２ビットストリームとによって動作する少なくとも２つのエラーチェッキングユニットと、前記伝送されたシンボルに相応するものであって、前記第１ビットストリームと前記第２ビットストリームのうち最も少ないエラー量を有する１つのビットストリームを選択するためのロジックを具備する。
【００３６】
前記エラーチェッキングユニットはＣＲＣエラーチェッキングを行う。
【００３７】
各デコーダは前記信号ベクトルの対称的なベクトルを生成するためのミキサーと、前記信号ベクトルと前記信号ベクトルの対称的なベクトルとを前記第１ビットストリームに変換する第１変換ユニットと、前記信号ベクトルと前記信号ベクトルの対称的なベクトルとを前記第２ビットストリームに変換する第２変換ユニットを具備する。
【００３８】
前記ＱＡＭデコーディングブロックは前記第１シンボルに相応するサブチャンネルに特別な雑音があるかの如何を評価し、もし前記サブチャンネルに前記特別な雑音がある場合、前記信号ベクトルを重複領域に写像するかの如何を決定し、前記信号ベクトルが前記重複領域に写像されれば、前記確認と選択とを始める。
【００３９】
前記ＱＡＭデコーディングブロックは前記サブチャンネルに特別な雑音が存在していないか、前記信号ベクトルが前記重複領域に写像されていない場合、前記確認と選択とをスキップし、前記第１シンボルを前記伝送されたシンボルに相応するものとして取扱う。
【００４０】
前記座標は正方形のセルの格子で編成され、前記座標を形成するシンボルそれぞれは各セルの中央に位置し、前記セルの各側面の長さはｄであり、各セルは各隣接セルに相応する重複領域を具備し、各与えられたセルに対する各重複領域は、前記相応する隣接セルに対して、前記与えられたセルと、前記隣接セルの中央を中心とする半径ｒの円との重複領域と定義され、前記ｒは、
【００４１】
【数１８】
2005027326.tif 000020
を満たす。
【００４２】
前記第１シンボルに隣接する多数の隣接シンボルがあり、前記第２シンボルは前記信号ベクトルの最も近い所に位置する前記隣接シンボルのうち１つである。
【００４３】
前記ＱＡＭ信号はマルチプルキャリア復調信号である。
【００４４】
受信されたＱＡＭ信号によって表現された伝送シンボルを復旧する復調方法は第１シンボルを算出するために受信された信号ベクトルを座標上に写像する段階と、前記受信された信号ベクトルに基づいて最も近い所にありそうな第２シンボルを確認する段階と、前記第１シンボルと前記第２シンボルのうち最も少ないエラー量を有する１つのシンボルとを前記伝送されたシンボルに相応するものとして選択する段階と、を具備する。
【００４５】
前記第１シンボルに相応するサブチャンネルに特別な雑音があるかの如何を表す表示を受信する段階と、もし前記サブチャンネルに前記特別な雑音がある場合、前記写像段階で前記信号ベクトルを重複領域に写像するかの如何を決定する段階と、前記信号ベクトルが前記重複領域に写像されれば、前記確認段階と前記選択段階を始める段階と、を具備する。
【００４６】
前記復調方法は前記サブチャンネルに特別な雑音が存在していないか、前記信号ベクトルが前記重複領域に写像されていない場合、前記確認と選択とをスキップし、前記第１シンボルを前記伝送されたシンボルに相応するものとして取扱う段階をさらに具備する。
【００４７】
前記座標は正方形のセルの格子で編成され、前記座標を形成するシンボルそれぞれは各セルの中央に位置し、前記セルの各側面の長さはｄであり、各セルは各隣接セルに相応する重複領域を具備し、各与えられたセルに対する各重複領域は、前記相応する隣接セルに対して、前記与えられたセルと、前記隣接セルの中央を中心とする半径ｒの円との重複領域と定義され、前記ｒは、
【００４８】
【数１９】
2005027326.tif 000021
を満たす。
【００４９】
前記第１シンボルに隣接する多数の隣接シンボルがあり、前記第２シンボルは前記信号ベクトルの最も近い所に位置する前記隣接シンボルのうち１つである。
【００５０】
前記選択段階は前記第１シンボルと前記第２シンボルそれぞれに対してＣＲＣエラーチェッキングを行う。前記ＱＡＭ信号はマルチプルキャリア復調信号である。
【００５１】
本発明と本発明の動作上の利点及び本発明の実施によって達成される目的を十分に理解するためには本発明の望ましい実施例を例示する図面及び図面に記載された内容を参照せねばならない。
【発明の効果】
【００５２】
本発明による復調器と復調方法は、受信されたＱＡＭ信号によって表現された伝送シンボルを最適に再生できる。また、本発明による復調器は従来の技術に比べて約３ｄＢ程度信号対雑音比（Ｓｉｇｎａｌ ｔｏ Ｎｏｉｓｅ Ｒａｔｅ：ＳＮＲ）を改善させる効果がある。
【００５３】
本発明による復調器と復調方法は、エラー発生率を減少させる効果がある。
【発明を実施するための最良の形態】
【００５４】
以下、図面を参照して本発明の望ましい実施例を説明することによって、本発明を詳細に説明する。各図面に提示された同じ参照符号は同じ部材を表す。
【００５５】
図５Ａは、本発明の実施例によるＱＡＭ、例えば１６ＱＡＭ座標５００の部分的な図である。図５Ａの座標５００は１６個の正方形セルを含み、これら中の多数のセル、すなわち５１０〜５２６が図示される。
【００５６】
他のセルのようにセル５１０は長さ２Ｒの側面を有し、セル５１０は各セル５１２、５１６、５２０及び５２４と共に側面を共有する。説明のために、セル５１０はシンボル（ｘ，ｙ）に相応し、セル５１２はシンボル（３ｘ，ｙ）に相応する。
【００５７】
図５Ａを参照すれば、半径
【００５８】
【数２０】
2005027326.tif 000022
を有する円は重複領域５０１〜５０４を有する。前記重複領域５０１〜５０４はセル５１０に隣接する外部領域、すなわち、隣接するセル５１２、５１６、５２０及び５２４と重複／交差される領域である。
【００５９】
図５Ｂは、図５Ａに示されたＱＡＭ座標の変化を表す。図５Ｂは重複領域５０１〜５０４のみならず、隣接する各セル５１２、５１６、５２０及び５２４の対応する重複領域５０５〜５０８を図示する。類似に、各重複領域５０５〜５０８は対応するセル５１２、５１６、５２０及び５２４の外部に位置し、セル５１０の内部に位置する。
【００６０】
重複領域５０１〜５０８は対称的な対５０１と５０５、５０２と５０６、５０３と５０７、及び５０４と５０８に表現されうる。
【００６１】
本発明の開発過程の一部として認識されて理解されたように、等価ベクトルが重複領域、例えば５０２に写像される時、２つの可能な対応するシンボル、すなわち重複領域が位置するセルに対するシンボル、例えば
【００６２】
【数２１】
2005027326.tif 000023
に対するシンボル（ｘ，３ｙ）と対称的な重複領域が位置するセルに対する対称シンボル、すなわち
【００６３】
【数２２】
2005027326.tif 000024
に対するシンボル（ｘ，ｙ）とがある。ここで、
【００６４】
【数２３】
2005027326.tif 000025
であり、
【００６５】
【数２４】
2005027326.tif 000026
である。
【００６６】
本発明の実施例によって、受信器（そして、関連したソフトウェアと方法論）はシンボル（ｘ，３ｙ）またはシンボル（ｘ，３ｙ）の対称的な対応シンボル（ｘ，ｙ）が重複領域５０２に写像された等価ベクトルに相応するかの如何を決定するためにエラーチェックを行う。
【００６７】
言い換えれば、シンボル（ｘ，３ｙ）と前記シンボル（ｘ，３ｙ）の対称的な対応シンボル（ｘ，ｙ）のうち１つは真であり、他の１つは偽である。前記の受信器は何れが真シンボルであるかを決定する。結果的に座標５００内のいかなる対称的な対（例えば、５０２と５０６）の１つの領域に写像された等価ベクトルは前記のようなエラーチェックなどを通じて対応するシンボル（ｘ，３ｙ）またはシンボル（ｘ，ｙ）に成功的に復号される。
【００６８】
図６は、本発明の第１実施例によるＱＡＭデコーディング受信器のブロック図を表す。前記受信器６００はアナログ−デジタル変換器（Ａｎａｌｏｇ−ｔｏ−Ｄｉｇｉｔａｌ Ｃｏｎｖｅｒｔｅｒ：ＡＤＣ）６０２、直列−並列変換器ＳＰＣ ６０４、離散フーリエ変換ＤＦＴユニット６０６、周波数等化器ＦＥＱ ６０８、マージンチェックモジュール（Ｍａｒｇｉｎ Ｃｈｅｃｋ Ｍｏｄｕｌｅ：ＭＣＭ）６１０、多重ＱＡＭ−信号デコーダＭＱＤ ６１２、及び選択回路６１４を具備する。
【００６９】
前記ＳＰＣ ６０４は２ｎ個の信号を並列にＤＦＴ６０６に出力する。ＤＦＴ ６０６、ＦＥＱ ６０８及びＭＣＭ ６１０それぞれはｎ（ここで、ｎは自然数）個の並列信号またはトーンを対応する多数のサブチャンネル（６０６と６０８間、６０８と６１０間、及び６１０と６１２間）に出力する。
【００７０】
ＭＱＤ ６１２は重複領域の対称的な対に相応する２ｋ個の信号フレームを出力する。前記重複領域の各対称的な対ほどの対称的なシンボルの対が存在し、前記ｋは前記重複領域に位置する多数のトーンであり、ｋ＜ｎである。
【００７１】
その上、２ｋ個のフレームのために、ＭＣＭ ６１０は特別な雑音を有するサブチャンネルの目録を出力する。前記目録上に現れるシンボルに対して、各対称的なシンボル間で１つのシンボルを選択する動作は必ず行われねばならない。このような選択動作は選択回路６１４によって行われる。対称的なシンボル間での選択動作は後述される。
【００７２】
トレーニングまたは初期化過程で、特別な雑音（を有する）サブチャンネルは決定される。もしサブチャンネルのＳＮＲが基準レベルより小さな場合、前記サブチャンネルは特別な雑音が存在すると決定される。ＭＣＭ ６１０はデータが伝送される間、特別な雑音（を有する）サブチャンネルを監視する。
【００７３】
もし特別な雑音を有するサブチャンネルの信号が重複領域に位置すれば、前記特別な雑音を有するサブチャンネルのＩＤは各対称的なシンボル間での選択動作のためのサブチャンネルの目録の一部としてＭＱＤ ６１２に伝送される。
【００７４】
図５Ａに基づいた例として、もしサブチャンネルに特別な雑音があり、前記サブチャンネル上の前記信号が重複領域５０１に写像されれば、ＭＱＤ ６１２は前記サブチャンネルのＩＤを出力し、前記信号の位置は名目上、前記シンボル、すなわちシンボル（３ｘ、ｙ）と前記シンボルの対称的な対応シンボル（ｘ、ｙ）と写像される。
【００７５】
ＡＤＣ ６０２は前記チャンネル（例えば、アンテナ）から歪曲された直列アナログ信号を受信し、前記歪曲された信号に対する直列デジタル信号を出力する。ＳＰＣ ６０４は前記直列デジタル信号を２ｎ個の並列信号に変換する。ＤＦＴユニット６０６はＳＰＣ ６０４から出力された時間−領域信号に対してＤＦＴを行い、相応する周波数−領域信号（トーンまたはＱＡＭ信号という）を出力する。ｉ番目ＱＡＭ信号またはｉ番目トーンは複素数で表現される。
【００７６】
ＦＥＱ ６０８はＤＦＴユニット６０６から出力されたトーンを等化し、以前に行われたチャンネルトレーニング／初期化過程と調和をなして非理想的なチャンネルによって誘導された振幅変化
【００７７】
【数２５】
2005027326.tif 000027
と位相変化
【００７８】
【数２６】
2005027326.tif 000028
とを補償する。
【００７９】
ＭＣＭモジュール６１０は各サブチャンネルに対してＳＮＲを周期的に測定し、所定の基準ＲＥＦと対照して各ＳＮＲを比較する。すなわち、
【００８０】
【数２７】
2005027326.tif 000029
【００８１】
ここで、所定の基準ＲＥＦ値は前記トレーニング／初期化過程で決定されうる。ＭＣＭ ６１０は前記ＳＮＲが累積できるようにメモリが提供できる。もし、ＳＮＲｉ＜ＲＥＦであれば、サブチャンネルｉはＮＶより現れそうなＮＶ＋を表示する。ここで、
【００８２】
【数２８】
2005027326.tif 000030
である。
【００８３】
前記トレーニング／初期化過程後に、ＭＣＭ ６１０は前記ＲＥＦより小さなＳＮＲを有する各サブチャンネルを監視する。もし、前記ＭＣＭ ６１０によって監視された前記サブチャンネルに伝送されたＱＡＭ信号が前記重複領域に位置すれば、前記ＭＣＭ ６１０は前記サブチャンネルのＩＤ（すなわち、名目上、写像されたシンボルと前記対称的な対応シンボル）を出力する。
【００８４】
伝送されたシンボルの各フレームに対して、ＭＣＭモジュール６１０は各対称的なシンボルに対する選択が行われうるようにサブチャンネルの目録と前記重複領域情報（ＯＲＩ、すなわち名目上、写像されたシンボルと前記対称的な対応シンボル）とを出力する。
【００８５】
ＭＱＤ ６１２は２ｎ個までＱＡＭデコーダを有しうる。ここであらゆるｎサブチャンネルには特別な雑音が存在する。各ＱＡＭデコーダはｎ個の等化トーンをビットストリームに復号する。前記リスト上に全体的にｋ個の特別な雑音サブチャンネル、すなわちｋ＜ｎがあれば、前記ＱＡＭデコーダの全体的な数は２ｋ個である。前記２ｋ個はビットストリームの数を表す。
【００８６】
例えば、ｎ個のサブチャンネルのうち２つのサブチャンネル（サブチャンネルＩＤは１とｎ）が重複領域に位置するＱＡＭ信号を有していると仮定する。第１ＱＡＭデコーダはｎ個の等化されたトーンの第１セットを第１ビットストリームＳＭＢＬ０に復号し、前記第１等化されたトーンは前記サブチャンネル（１ないしｎ）に対する元来（または、言い換えれば、名目上、写像された）のシンボルで構成される。
【００８７】
第２ＱＡＭデコーダはｎ個の等化されたトーンの第２セットを第２ビットストリームＳＭＢＬ１に復号し、前記第２等化されたトーンはサブチャンネルＩＤ１の元来（または、言い換えれば、名目上、写像された）のシンボルのための対称的な対応シンボル、サブチャンネル２の元のシンボル、・・・、及びサブチャンネルｎの元のシンボルで構成される。
【００８８】
第３ＱＡＭデコーダはｎ個の等化されたトーンの第３セットを第３ビットストリームＳＭＢＬ２に復号し、前記第３等化されたトーンはサブチャンネルＩＤ１の元のシンボル、サブチャンネル２に対する前記元のシンボル、・・・、及びサブチャンネルＩＤ ｎの元のシンボルに対する前記対称的な対応シンボルで構成される。
【００８９】
第４ＱＡＭデコーダはｎ個の等化されたトーンの第４セットを第４ビットストリームＳＭＢＬ３に復号し、前記第３等化されたトーンはサブチャンネル１の元のシンボルに対する対称的なシンボル、サブチャンネル２に対する元のシンボル、・・・、及びサブチャンネルｎの元のシンボルに対する対称的な対応シンボルで構成される。
【００９０】
図６の選択ユニット６１４は２ｋ個のエラーチェッキング（Ｅ√）ユニット
【００９１】
【数２９】
2005027326.tif 000031
選択信号発生ブロック６２０、ＳＭＢＬ０、ＳＭＢＬ１、・・・、ＳＭＢＬｋ−１からビットストリーム間を選択するための選択ブロック（スイッチングユニット）６２２を具備する。エラーチェッキング（Ｅ√）ユニットそれぞれはＣＲＣ（Ｃｙｃｌｉｃ Ｒｅｄｕｎｄａｎｃｙ Ｃｈｅｃｋ）で具現されうる。
【００９２】
図７は、本発明の第２実施例によるＱＡＭデコーディング受信器のブロック図を表す。受信器７００は同じ部材番号と相応する部材番号（例えば、６１２に相応する７１２）を反映すれば、受信器６００と似ている。説明の便宜のために受信器７００と受信器６００との差のみを説明する。
【００９３】
受信器７００は典型的にただ１つのサブチャンネルが十分に低いＳＮＲを表すとの仮定を反映する。
【００９４】
受信器７００はＭＣＭ７１０、デュアルＱＡＭデコーダ７１２、及び選択ユニット７１４を具備する。前記選択ユニット７１４は２つのエラーチェッキングユニット７１８Ａと７１８Ｂ、選択信号発生ブロック７２０、及び選択ブロック（スイッチングユニット）７２２を具備する。前記エラーチェッキング（Ｅ√）ユニット７１８Ａと１７８ＢはＣＲＣで具現される。
【００９５】
図６に示されたＭＣＭ６１０と対照的に、図７に示されたＭＣＭ ７１０は特別な雑音サブチャンネルのリストを出力しない代わりに前述した仮定（すなわち、ただ１つの特別な雑音サブチャンネルが存在するという仮定）が与えられれば、特別な雑音だけでなく関連した重複領域情報が存在する１つのサブチャンネルを同一視する。
【００９６】
ＤＱＤ ７１２はＭＣＭ ７１０によって確認された特別な雑音サブチャンネルに対して対称的なシンボル対を発生させる。選択信号発生ブロック７２０とスイッチングユニット６２２とはユニット６０２とユニット６２２とをそれぞれ単純化させたものである。
【００９７】
図８は、本発明の実施例によるＤＱＤ ７１２のブロック図を表す。ＤＱＤ ７１２はミキサー８０２、バッファ８０４と８０６、及びＱＡＭ８０８と８１０を具備する。ミキサー８０２はＦＥＱ ６０８からｎ個のトーンを受信し、２ｎ個のトーンを発生する。すなわち、ＴｏｎｅｉはＭＣＭ ７１０から出力された特別な雑音サブチャンネルＩＤと重複領域情報ＯＲＩによってＴｏｎｅｉＳＹＭに変換される。
【００９８】
ＱＡＭ１ ８０８はバッファ８０４から各トーンの値（複素数データ）を読み、前記各トーンの値を対応するビットに復号する。ｎ個のトーンの値が復号された後、ＱＡＭ１ ８０８はｎ個の復号されたビットを連結させ、連結されたビットを第１ビット−ストリームＳＹＭＢ０に出力する。
【００９９】
ＱＡＭ２ ８１０はバッファ８０６から各トーンの値（複素数データ）を読み、前記各トーンの値を対応するビットに復号する。ｎ個のトーンの値が復号された後、ＱＡＭ２ ８１０はｎ個の復号されたビットを連結させ、連結されたビットを第２ビット−ストリームＳＹＭＢ１に出力する。同期化ロジックは前記同じサブチャンネルに相応するトーンに基づいてＱＡＭ１ ８０８とＱＡＭ２ ８１０とを作動させるために提供される。
【０１００】
ＱＡＭ ８０８と８１０の出力はエラーチェッキングユニット７１８Ａと７１８Ｂにそれぞれ提供される。したがって、エラーチェッキングユニット７１８Ａと７１８Ｂとスイッチングユニット７２２との出力は直列である。
【０１０１】
図９は、本発明の第３実施例によるＱＡＭデコーディング受信器のブロック図を表す。受信器９００は同じ部材番号と相応する部材番号（例えば、９１２に相応する７１２）を反映すれば、受信器７００と似ている。説明の便宜のために受信器９００と受信器７００との差のみを説明する。
【０１０２】
受信器９００はビットストリームＳＭＢＬを発生させるＱＡＭデコーダ９１２Ａを具備する。エラーチェッキングユニット９１８はＱＡＭデコーダ９１２Ａから直列ビット−ストリームＳＭＢＬを受信し、受信されたビット−ストリームが正確であるかの如何をチェックし続ける。もし、シンボルＳＭＢＬｉがエラーチェッキングユニット９１８によって正確でない（または偽）と判断されれば、特別なＱＡＭデコーダ９１２Ｂは対称的な対応シンボルＳＭＢＬｉＳＹＭを発生させる。
【０１０３】
前記ＱＡＭデコーダ９１２Ｂは対称的な対応シンボルを生成するためにミキサー８０２のようなミキサー１００８を提供する。
【０１０４】
対称的なシンボルＳＭＢＬｉＳＹＭはＱＡＭデコーダ９１２Ｂによって提供され、ＱＡＭデコーダ９１２ＡはシンボルＳＭＢＬｉを対称的なシンボルＳＭＢＬｉＳＹＭに代替する。それにより、エラーチェッキングユニット９１８は対称的なシンボルＳＭＢＬｉＳＹＭをさらにチェックする。もし、対称的なシンボルＳＭＢＬｉＳＹＭが正確であれば、前記エラーチェッキングユニット９１８は”真”信号を出力し、前記シンボルＳＭＢＬｉＳＹＭをさらに高い階層に伝送し、それとも”偽”信号を出力し、前記過程をさらに循環させる。
【０１０５】
図１０は、図９に示されたＱＡＭデコーダ９１２Ａと特別なデコーダ９１２Ｂとのブロック図を表す。ＭＣＭ ９１０から出力されたｎ個のトーンはＱＡＭデコーダ９１２Ａに入力される。前記ＱＡＭデコーダ９１２Ａは等化されたｎ個のトーン値（複素数データ形態）を保存するためのバッファ１０６０、ＱＡＭデコーディングブロック１０５０、各トーン値に相応するビットの値を保存するためのフレームバッファ１０４０を具備する。
【０１０６】
前記特別なＱＡＭデコーダ９１２Ｂは特別な雑音サブチャンネルＩＤと重複領域情報ＯＲＩとによってトーンＴｏｎｅｉＳＹＭを発生させるミキサー１００８、特別な雑音サブチャンネルを決定するサブチャンネルＩＤと重複領域情報ＯＲＩとを保存するバッファ１０１０、ＱＡＭデコーディングブロック１０２０、フレームバッファ１０３０、結合テーブル１０３５、及び多数のスイッチ１０３１１、１０３１２、・・・、１０３１ｋを具備する。
【０１０７】
ＱＡＭデコーディングブロック１０５０はｎ個のトーンを受信し、直列ビットストリームをフレームバッファ１０４０に出力する。エラーチェッキングユニット９１８は前記フレームバッファ１０４０から前記ビットストリームを受信してチェックする。もし前記エラーチェッキングユニット９１８によるチェック結果が真である場合、前記エラーチェッキングユニット９１８は前記ビットストリームを出力端に出力する。もし前記エラーチェッキングユニット９１８によるチェック結果が偽である場合、前記エラーチェッキングユニット９１８は”次の”信号をＱＡＭデコーダ９１２Ｂに出力する。
【０１０８】
特別なＱＡＭデコーダ（ＥＱＤ）９１２Ｂは前記ＭＣＭ ９１０から特別な雑音サブチャンネルのリストと各特別な雑音サブチャンネルとに対する重複領域情報を受信する。ＱＡＭデコーディングブロック１０２０は前記トーンＴｏｎｅｉＳＹＭ値を相応するビット
【０１０９】
【数３０】
2005027326.tif 000032
に復号する。
【０１１０】
ＥＱＤ ９１２Ｂが前記エラーチェッキングユニット９１８から前記”次の”信号を受信する時、多数のスイッチ１０３１１、１０３１２、・・・、１０３１ｋのうち少なくとも１つは結合テーブル１０３５によって閉鎖されるために制御される。
【０１１１】
最初に、スイッチ１０３１１が閉鎖されれば、フレームバッファ１０４０に保存された第２ＱＡＭ復号されたビットＢｉｔｓ２は対称ＱＡＭ復号されたビット
【０１１２】
【数３１】
2005027326.tif 000033
のセットに代替される。前記エラーチェッキングユニット９１８は前記フレームバッファ１０４０から出力された前記ビットストリームを受信してチェックする。前記エラーチェッキングユニット９１８によってチェックされた結果が真である場合、前記エラーチェッキングユニット９１８は前記ビットストリームを前記出力端に出力する。前記エラーチェッキングユニット９１８によってチェックされた結果が偽である場合、前記エラーチェッキングユニット９１８は”次の”信号をＥＱＤ９１２Ｂに出力する。
【０１１３】
第２に、スイッチ１０３１２が閉鎖されれば、フレームバッファ１０４０に保存された第４ＱＡＭ復号されたビットＢｉｔｓ４は対称ＱＡＭ復号されたビット
【０１１４】
【数３２】
2005027326.tif 000034
のセットに代替される。類似した方法で前記特別な雑音サブチャンネルのシンボルのあらゆる結合は結合テーブル１０３５によって変わる。
【０１１５】
多様な実施例の作動に関する前述した説明はこれに相応する方法を説明するために使われる。相応するソフトウェアを使用するプロセッサーは前記方法の段階を行える。
【０１１６】
本発明は図面に示された一実施例を参考で説明されたが、これは例示的なものに過ぎず、本技術分野の当業者であれば、これより多様な変形及び均等な他の実施例が可能である点が理解できる。したがって、本発明の真の技術的保護範囲は特許請求の範囲の技術的思想により定められねばならない。
【産業上の利用可能性】
【０１１７】
本発明による復調器と復調方法は多重チャンネル通信システムの受信器に使われうる。
【図面の簡単な説明】
【０１１８】
【図１】従来技術による１６ＱＡＭに相応するシンボルの座標を示す図である。
【図２】従来技術による非理想的チャンネル補償概要を示す図である。
【図３】従来技術によるデコーディング概要を示す図である。
【図４Ａ】本発明の開発中に、認識された問題、すなわち等価ベクトルがＱＡＭ座標のセルのコーナーに写像される環境を示す図である。
【図４Ｂ】本発明の開発中に認識された問題、すなわち雑音ベクトルＮＶ＋のために伝送ベクトルＴＶは前記伝送ベクトルＴＶに相応するセル４０４の外側に写像される大きい等価ベクトルになる環境を示す図である。
【図５Ａ】本発明の実施例によるＱＡＭ座標の部分的な図である。
【図５Ｂ】図５Ａに示されたＱＡＭ座標の変化を示す図面である。
【図６】本発明の第１実施例によるＱＡＭデコーディング受信器のブロック図である。
【図７】本発明の第２実施例によるＱＡＭデコーディング受信器のブロック図である。
【図８】本発明の実施例によるＤＱＤ７１２のブロック図である。
【図９】本発明の第３実施例によるＱＡＭデコーディング受信器のブロック図である。
【図１０】本発明の第３実施例によるＱＡＭデコーダと特別なデコーダとのブロック図である。
【符号の説明】
【０１１９】
６００    受信器
６０２    アナログ−デジタル変換器
６０４    直列−並列変換器
６０６    離散フーリエ変換ＤＦＴユニット
６０８    周波数等化器
６１０    マージンチェックモジュール
６１２    多重ＱＡＭ−信号デコーダ
６１４    選択回路
６２０    選択信号発生ブロック
【図１】
2005027326.tif 000037
【図２】
2005027326.tif 000038
【図３】
2005027326.tif 000039
【図４Ａ】
2005027326.tif 000040
【図４Ｂ】
2005027326.tif 000041
【図５Ａ】
2005027326.tif 000042
【図５Ｂ】
2005027326.tif 000043
【図６】
2005027326.tif 000044
【図７】
2005027326.tif 000045
【図８】
2005027326.tif 000046
【図９】
2005027326.tif 000047
【図１０】
2005027326.tif 000048